(57)【要約】【課題】振り子運動に同調するゴルフスウィングを習得するためのゴルフクラブである。また、打球した際に照準に対して正確にフェイスが合っているか否か、フェイスのスイートスポットで打球しているか否かを検証するためのクラブを提供する。【解決手段】パター形ゴルフクラブヘッドフェイスのスイートスポットを通過し、フェイスと直角に交差する線上のヘッド後部に、直径１２〜１５ｍｍの球を乗せるための皿状の凹部を１箇以上有し、球を乗せた状態でスウィングすることができる構造とする。また、前記線上に球が乗る皿状の凹部を２箇有し、それらを断面が凹状の溝で繋ぎ、球を凹部から凹部へ移動可能とした構造とする。【選択図】図１
2006000574.tif 000002
【特許請求の範囲】
【請求項１】
ゴルフボールを打つフェース面を有するヘッドを具えたゴルフクラブであり、前記フェース面のスイートスポットに対して直角に交わる線上で、ヘッド上面に直径１２〜１５ｍｍの金属球を乗せるための凹部を１以上有することを特徴とするクラブヘッド
【請求項２】
前記凹部がフェース面のスイートスポットに対して直角に交わる線上に２箇所あり、幅２〜５ｍｍの断面が凹状の溝で繋がっていることを特徴とするゴルフクラブヘッド
【発明の詳細な説明】
【技術分野】
【０００１】本発明は、ゴルフクラブのスウィングリズムおよび軌道を安定化しうるパター型ゴルフクラブに関する。
【背景技術】
【０００２】ゴルフクラブのスイングリズムは、振り子運動のスウィングが適正といわれてきたにもかかわらず、プレーヤーの経験や技量などといわれる曖昧な感覚により作られた人為的なリズムにより行われていた。そのため、振り子運動のスウィングが行われているか否かを判断するクラブの開発を期待されていた。【０００３】従来のパター型クラブヘッドは、ゴルフボールを打つ方向に対して正確にフェイス面を合わせるためのガイド的な役割の目印をヘッド上部に線や円などの塗装、凹状に研削、またはこれらを合わせた加工を施すに過ぎなかった。【０００４】更にパタークラブをスウィングし、ボールとのインパクトの瞬間にパタークラブヘッドのフェイス面が正確に照準方向に合っているか、そしてスイートスポットで打球しているか否かを検証できるクラブの開発を期待されていた。
【発明の開示】
【発明が解決しようとする課題】
【０００５】従来のゴルフクラブヘッドでは、感覚的なものに頼っていたスイングリズムであったが、このリズムを実際の振り子運動に合わせることで、そのリズムを習得できるようにする。また、そのリズムが同調しているか否かを検証するための装置を備えることを目的としたものである。【０００６】パター型ゴルフクラブヘッドが打球した時、フェイスが照準方向に対して直角に向いているか否か。また、打球した際フェイスのスイートスポットで正確にボールを打っているか否かを検証するための装置を備えることを目的としたものである。
【課題を解決するための手段】
【０００７】請求項１記載の発明は、ゴルフクラブヘッドフェイスのスイートスポットを通過し、フェイスと直角に交差する線上のヘッド後部に、直径１２〜１５ｍｍの好ましくはステンレススチールからなる球を乗せるための深さ１〜３ミリメートルの皿状の凹部を１箇以上有することを特徴とする。【０００８】請求項２記載の発明は前記のゴルフクラブヘッドに球が乗る皿状の凹部を２箇有し、それらを断面が凹状の溝で繋ぎ、球を皿状の凹部から皿状の凹部へ移動可能とした構造を有することを特徴とする。
【発明の効果】
【０００９】本発明は、ゴルフスウィングの経験や感覚的な能力がなくても皿状の凹部に乗った球を落とさないようにスウィングすることで、振り子運動のスウィングリズムを身につけることができる。また、ボールを打つ際にフェイスが照準方向に対して正確に向いているかを球の移動によって検証することができるため、そのスウィングが正しく行われたかを球が溝から脱落することで判断できる。
【発明を実施するための最良の形態】
【００１０】以下、本発明の実施の一形態を添付の図を参照しながら詳細に説明する。
図１、２は、本発明のパター型ゴルフクラブヘッド（以下単にヘッドと言う場合がある）の一例を示し、ヘッド１のフェイス４のスイートスポットを通過しフェイス４と直角に交差する線Ｉ−ＩＩ上に直径１２〜１５ｍｍの球５を乗せるための深さ１〜３ミリメートルの皿状の凹部２ａ及び２ｂを有する。【００１１】前記皿状の凹部２ａに球５を乗せ、プレーヤーがゴルフクラブの振り子運動図３を行う時、球５もまた振り子運動をする。この球５の振り子運動は、支点ＩＩＩからの距離ＩＶにより周期が決定される。【００１２】プレーヤーは、皿状の凹部２ａに乗った球５をその位置から移動させないように球５の振り子運動に同調するようにスウィングをすることで、振り子運動のリズムを習得することができる。【００１３】皿状の凹部２ａは、１〜３ｍｍの深さを有し、その口縁の直径は、深さが増せば大きくなる。深さが浅く口縁の直径が小さければ皿状の凹部２ａからの抵抗は少なくなり球は移動しやすくなる。また反対に深さが増せば口縁の直径が大きくなり移動しにくくなる。この抵抗を利用してプレーヤーのスウィングと球の振り子運動の同調をより正確にするか否かを調節することができる。【００１４】請求項２記載の発明は前記のヘッド１に皿状の凹部２ａ、２ｂを２箇有し、それらを溝３で繋ぎ、球を皿状の凹部２ａから皿状の凹部２ｂへ移動可能とした構造を有する。【００１５】皿状の凹部２ａと皿状の凹２ｂ部は、ヘッド１のフェイス４のスイートスポットを通過し、フェイス４と直角に交差する線Ｉ−ＩＩ上のヘッド１上部にあり、その皿状の凹部２ａ、２ｂを幅０．５〜２ｍｍの溝３で繋ぐ。【００１６】皿状の凹部２ａと皿状の凹２ｂ部を繋ぐ溝３は、図４においてゴルフボール７を打球する際、正確にフェイス４が照準方向を向き、且つフェイス４のスイートスポットで打球することで照準方向とスイートスポットを結ぶ線と溝３は一直線上に並ぶことになる。【００１７】図４においてヘッド１は、ゴルフボール７を打球した時、そのことによって運動を開始するゴルフボール７のエネルギー分を失い減速する。球５はそのままのエネルギーにより移動し続けるので、ヘッド１と球５の間に速度の差が生じ、よって球５は皿状の凹部２ａから皿状の凹２ｂ部へ向かってヘッド１を追い越すかたちで溝３上を照準方向へ移動し、ゴムなどによる緩衝材６に当たると同時に皿状の凹部２ｂへ落ちることになる。【００１８】前記の球５の移動方向は照準方向と溝３のラインが一直線上に並んだ時に、もっとも円滑に行われるが、フェイス４が照準方向に対して直角に向いていない場合やインパクトの際、スイートスポットから外れて打球し、フェイス４にねじれの力が加わった場合、溝３は照準方向を向かず、球５の移動方向とは一致しない。その結果球は、溝３から外れて移動してしまう。【００１９】打球が正確に行われた場合、球５は皿状の凹部２ｂへ落ち、正確に行われない場合は溝３より落下し皿状凹部２ｂへは到達することができない。その結果により、正確な打球か否かがはっきり判断できる。
【図面の簡単な説明】
【００２０】
【図１】本発明の実施形態を示すパター型ゴルフクラブヘッドの斜視図である。
【図２】本発明の実施形態を示すパター型ゴルフクラブヘッドの三面図である。
【図３】ゴルフクラブを振り子運動する人の正面図である。
【図４】本発明の実施形態のヘッドが振り子運動によりスイングし、ゴルフボールを打つ直前、打つ時、打った直後を時間経過毎に示した図である。
【符号の説明】
【００２１】１  パター型ゴルフクラブヘッド
２  皿状の凹部
３  溝
４  フェイス
５  球
６  緩衝部
７  ゴルフボール
Ｉ  フェイスのスイートスポットを通過しフェイスと直角に交差する線上でヘッドより照準側にある任意の点
ＩＩ  フェイスのスイートスポットを通過しフェイスと直角に交差する線上で照準側に対してヘッドより後方にある任意の点
ＩＩＩ  人がゴルフクラブをスウィングするときの支点
ＩＶ  支点と球までの距離
【図１】
2006000574.tif 000003
【図２】
2006000574.tif 000004
【図３】
2006000574.tif 000005
【図４】
2006000574.tif 000006